(57)【特許請求の範囲】
【請求項１】
平面視略円弧状の複数本の横枠、平面視略円弧状で側面視においては法面に沿うよう傾斜させた下端枠、これら横枠、下端枠に連設された複数本の縦枠よりなる保持枠体と、この保持枠体の内側に当接させた状態で配置され、平面視略円弧状で、かつ前記下端枠に沿う形状の下縁を有するシート状体とから構成されており、前記縦枠のうち少なくとも一本は前記下端枠よりも下方に突出させてアンカー部としてあることを特徴とする植栽容器。
【請求項２】
前記保持枠体の両側部で、かつ高さ方向中間位置において、アンカー挿入部を設けた請求項１に記載の植栽容器。
【請求項３】
前記シート状体は、上縁部に、植栽土の表面を被覆して植栽土表面からの蒸散を防止する複数の折り曲げ蓋を有する請求項１または２に記載の植栽容器。
【請求項４】
請求項１〜３のいずれかに記載の植栽容器で、法面の穴の下手側を囲む状態とし、前記穴内に苗および植栽土を挿入することを特徴とする法面緑化工法。
【請求項５】
請求項１〜３のいずれかに記載の植栽容器を法面に設置し、前記植栽容器の内側に前記植栽容器と植栽土とによって苗の根元を固定して苗を植栽することを特徴とする法面緑化工法。
【発明の詳細な説明】
【０００１】
【発明の属する技術分野】
この発明は、山腹や河川の堤防の法面や、道路建設や土地造成等に伴って形成される法面に定型のビニールポット等で育苗されている苗を植栽して法面を緑化するための植栽容器およびこの植栽容器を用いた法面緑化工法に関するものである。
【０００２】
【従来の技術】
従来、法面に適宜の間隔をおいて穴を掘り、この穴に、法面の傾斜に合わせて斜めに切り落とされた下方開口を有する植栽容器としての竹ポットを前記下方開口が穴の周辺の法面に臨むようセットし、定型のビニールポット等において育苗された例えば樹木の苗を根に土を付けた状態で竹ポットの上方開口を通して穴に挿入し、この挿入配置された樹木苗と竹ポットおよび穴との隙間に植生基材を入れ、適宜埋め戻しを行って樹木苗を植栽する法面緑化工法がある。
【０００３】
【発明が解決しようとする課題】
このように、自然の竹から切り取られた竹ポットを法面に固定し、この竹ポット内に例えば樹高が３０〜５０ｃｍで、ポット径が１０．５ｃｍの小型の樹木の苗を挿入配置できるけれども、竹ポットの内径は最大でも１２〜１３ｃｍが限界で、この内径よりも大きなポット径を有する中型の樹木の苗、すなわち、樹高が１００〜１５０ｃｍで、ポット径が１５〜１８ｃｍの樹木の苗を植栽するのは難しい。
【０００４】
この発明は以上のような問題に鑑みてなしたもので、その目的は、小型の樹木の苗のみならず中型の樹木の苗も植栽できる植栽容器およびこの植栽容器を用いた法面緑化工法を提供することにある。
【０００５】
【課題を解決するための手段】
上記目的を達成するため、この発明の植栽容器は、平面視略円弧状の複数本の横枠、平面視略円弧状で側面視においては法面に沿うよう傾斜させた下端枠、これら横枠、下端枠に連設された複数本の縦枠よりなる保持枠体と、この保持枠体の内側に当接させた状態で配置され、平面視略円弧状で、かつ前記下端枠に沿う形状の下縁を有するシート状体とから構成されており、前記縦枠のうち少なくとも一本は前記下端枠よりも下方に突出させてアンカー部としてある。
【０００６】
また、この発明の法面緑化工法は、前述したような植栽容器で、法面の穴の下手側を囲む状態とし、前記穴内に苗および植栽土を挿入する。
【０００７】
更に、この発明の法面緑化工法は、前述したような植栽容器を法面に設置し、前記植栽容器の内側に前記植栽容器と植栽土とによって苗の根元を固定して苗を植栽する。
【０００８】
【発明の実施の形態】
以下、この発明の実施形態を、図面に基づいて説明する。
図１〜図３において、１は保持枠体で、複数本の横枠２，３と、下端枠４と、複数本の縦枠５，５，６よりなる。そして、横枠２，３は平面視略半円弧状で、上下に配置され、下端枠４は平面視略円弧状で側面視においては法面Ｎに沿うよう傾斜させてある。また、縦枠５，５は、横枠２，３の端部、下端枠４の端部に連設されており、縦枠６は、横枠２，３の中央と下端枠４の中央に跨がって設けられている。
【０００９】
この実施形態では、第１の鉄線材（６ｍｍ径）を用いて上段の横枠２と縦枠５，５が構成され、第２の鉄線材（６ｍｍ径）および第３の鉄線材（６ｍｍ径）を用いて、それぞれ下段の横枠３および下端枠４が構成され、更に、第４の鉄線材（６ｍｍ径）を用いて縦枠６が構成されている。
また、横枠２，３は、ポット径が１５〜１８ｃｍの樹木の苗９を植栽するのが可能なように、１５〜１８ｃｍ程度の直径Ｒを有する円の半円弧に構成するのが好ましい。
【００１０】
そして、縦枠５，５の下端、横枠３の両端および下端枠４の両端を、保持枠体１の高さ方向中間位置において左右一箇所で溶接により接合するとともに、この溶接部Ａにリング状のアンカー挿入部８を溶接により接合してある。なお、Ａ，Ａは溶接部である。
【００１１】
また、縦枠６は、縦枠部分６ａとアンカー部分６ｂからなり、このアンカー部分６ｂは下端枠４よりも下方に突設して構成されており、この実施形態では、４〜５ｃｍの長さＬを有する状態でアンカー部６ｂが構成されている。そして、縦枠６は横枠２，３と下端枠４の中央で溶接により接合されている。なお、鉄線材以外の金属線材や樹脂製線材で保持枠体を構成してもよい。また、樹脂製線材で保持枠体を構成する場合は例えば接着等の接合手段を用いることができる。更に、樹脂製線材で保持枠体を構成する場合は接合手段を用いることなく、保持枠体を一体成形できる。
【００１２】
１０は、前記保持枠体１の内側に当接させた状態で配置される平面視略円弧状のシート状体である。このシート状体１０は、ダンボールのような所定の厚みＤを有する厚紙をカットして二点鎖線で示すように成形したものＰの両端を矢印ａ，ｂの方向に湾曲させ、かつ保持枠体１の内側に当てがうために保持枠体１と同様に１５〜１８ｃｍ程度の直径を有する円の半円弧に構成するのが好ましい。なお、この実施形態では、ダンボールにロウビキを施して強度アップしたシート状体１０を用いている。
【００１３】
このシート状体１０の素材に前記ダンボールを用いたのは、植栽した樹木の苗９が活着するまでの期間（植栽した樹木の苗９がある程度生育して根が張るまでに必要な期間で、例えば３〜５年間）は型崩れしないである程度の強度を維持でき、これにより、保持枠体１とで植栽土Ｅの流失や崩れを防止する土留め部の役目を果たすことができるからである。また、植栽土Ｅに供給される水をできるだけ保持できるという非通水性の機能を有するのが樹木の苗９の生育においては好ましいからである。更に、加工し易い材料が好ましいからである。
【００１４】
要するに、シート状体１０は、非通水性で、かつ、植栽木が活着するまでの期間はある程度の強度を保持する材料で構成するのが好ましく、更に、加工し易いものがより好ましく、ダンボールのような腐食性素材を用いてシート状体を構成する場合、ダンボールの他に、不織布、布地、フェルト等の腐食性素材を用いてもよく、さらには一枚もので型崩れするものは重ね合わせたりしてある程度の厚みを有するものに成形したり、これらにロウビキを施したりして植栽した樹木の苗９が十分活着する例えば３〜５年間はある程度強度を失わないものを用いるのが好ましい。この実施形態では、上述したように、ロウビキを施して強度アップされたダンボールをシート状体１０として用いている。しかも腐食性素材を用いる場合は、植栽木が活着するまでの期間はある程度の強度を維持でき、前記期間後には分解され、土と同質化するという利点を有する。
【００１５】
また、シート状体１０を、プラスチック等の長期間にわたり強度を失わない耐腐食性素材からなるシートで構成してもよく、強度を持たせるためにロウビキを施すことなく一枚ものでも長期間にわたり型崩れすることはない。この場合、生分解性のプラスチックのように、植栽木が活着するまでの期間はある程度の強度を維持できる上に、前記期間後には分解され、土と同質化する性質を有する材料のものを用いるのがより好ましい。
【００１６】
また、シート状体１０は、前記保持枠体１の下端枠４に沿う形状の下縁１１を有するとともに、上縁部に、植栽土Ｅの表面を被覆して植栽土表面からの蒸散を防止する複数の折り曲げ蓋１２を有する。なお、１３は折り曲げ蓋１２，１２間に形成されているＶ型の切欠きである。すなわち、横長長方形のダンボールの上端側において、折り曲げ線Ｍを設けるとともに、この実施形態では、カットによりＶ型切欠１３を設けて複数の折り曲げ蓋１２を形成して植栽土Ｅの表面を被覆できるように構成する一方、下端側において、保持枠体１の内側に当てがったときに保持枠体１の下端枠４に沿うような形状にカットして下縁１１を形成してある。なお、シート状体１０の上縁部にＶ型切欠１３を設ける代わりに、Ｖ型切欠１３の形成位置に複数の単なる切れ目を設けてもよく、この切れ目によって形成された相互に隣接する折り曲げ蓋同士を一部重ね合わせて植栽土Ｅの表面を被覆できるように構成してもよい。
【００１７】
そして、前記保持枠体１とシート状体１０で植栽容器Ｓを構成したので、小型のみならず、中型の樹木の苗９が植栽できる形状に容易に加工できる。また、この植栽容器Ｓを法面Ｎの植栽用の穴１４の下手側を囲むようにセットする（図３参照）だけで、この植栽容器Ｓが植栽土Ｅの落下を防止する足場となり、植栽容器Ｓと植栽土Ｅとによって中型の樹木の苗９の根元を固定でき、樹木の苗９を安定に生育させることができる。
【００１８】
なお、用いる苗９は、例えば、カシ類、シャリンバイ、ヤマザクラ、ヤマモミジ、ヤマモモ、クスノキ、ウバメガシ、コナラ等のポット径が１５〜１８ｃｍの中型の樹木の苗である。
【００１９】
以下、樹木の苗９の植栽方法について説明する。
まず、図４（Ａ）に示すように、保持枠体１のアンカー部分６ｂを法面Ｎに差し込むとともに、アンカー７をアンカー挿入部８に挿入して打ち込むことで保持枠体１を法面Ｎに固定し、その後、シート状体１０を保持枠体１の内側に当てがうようセットする。この場合、保持枠体１の下端枠４は、アンカー７およびアンカー部分６ｂの保持枠体１に対する押圧力によって法面Ｎに強く押しつけられ、これにより法面Ｎにおいて保持枠体１を安定化できる。また、シート状体１０の下縁１１は法面Ｎに当接した状態にあるが、シート状体１０は加工し易いので、凹凸を有する法面Ｎに設置する場合には、その都度、凹凸形状にあった形に現場でシート状体１０の下縁部分をカットすればよい。また、シート状体１０の下縁部分を適宜現場で内側に折り曲げることもできる。
【００２０】
続いて、保持枠体１の内側の法面Ｎ位置に植栽用の穴１４を掘る〔図４（Ｂ）参照〕。
【００２１】
所定の大きさの穴１４を掘り終えた後、定型のビニールポット等において育苗された樹木の苗９を、根に土壌Ｔを付けた状態〔図４（Ｃ）参照〕で穴１４に挿入し、横枠２の高さまで掘り起こした土を戻したり、植生基材を入れたりして適宜穴１４の埋め戻しを行って樹木苗９を固定する〔図４（Ｄ）参照〕。この場合、植栽容器Ｓは植栽土Ｅの流失や崩れを防止する土留め部の機能を果たす。更に、複数の折り曲げ蓋１２で植栽土Ｅの表面を被覆して植栽土表面からの蒸散を防止でき、根付きが良好である。よって、急傾斜においても安定して樹木を育てることができる。
【００２２】
このようにして、植栽した中型の樹木苗９は、植栽容器Ｓによって保護されて生育する。
【００２３】
なお、この実施形態では、シート状体１０を現場に設置する前にシート状体１０の下縁１１を法面Ｎに合う形状に予め形成したり、複数の折り曲げ蓋１２を予め形成したものを採用したが、シート状体１０は、上述のように、簡単に加工できるので、現場でのセット時に所定形状にカットしたり折り曲げたりして成形しても作業性において問題はない。
【００２４】
また、植栽容器の周辺に張芝体を敷設したり、植栽容器の周辺に厚層客土吹き付け法によって植生材料を吹き付けて植物生育基盤を形成したり、更には、張芝体の敷設と厚層客土吹き付けとを併用したりすることにより、法面の全面緑化が可能である。
【００２５】
更に、この実施形態では、植栽容器Ｓを法面Ｎに設置・固定してから植栽容器Ｓの内側の法面Ｎ位置に植栽用の穴１４を掘るようにしたが、法面Ｎに植栽用の穴１４を掘った後植栽容器Ｓで穴１４の下手側を囲む状態にしてもよい。
【００２６】
また、この発明では、植栽容器によって植栽土の流失や崩れを防止する土留め部の機能が果たせるので、法面に必ずしも植栽用の穴を掘らない法面緑化工法も可能である。この場合、植栽容器の内側に前記植栽容器と植栽土とによって苗の根元を固定して苗を植栽することができ、植栽用の穴に樹木の苗を挿入する場合と同様、根付きを良好にでき、急傾斜においても安定して樹木を育てることができる。
【００２７】
【発明の効果】
以上説明したようにこの発明は、保持枠体とシート状体で植栽容器を構成したので、小型のみならず、中型の樹木の苗が植栽できる形状に容易に加工できる。また、この植栽容器で、法面の穴の下手側を囲む状態とし、前記穴内に苗および植栽土を挿入するようにしたので、植栽容器によって植栽土の流失や崩れを防止する土留め部の機能を果たせることができ、更に、植栽容器と植栽土とによって樹木の苗の根元を固定でき、樹木の苗を安定に生育させることができる。
【００２８】
更に、植栽容器によって植栽土の流失や崩れを防止する土留め部の機能が果たせるので、法面に必ずしも植栽用の穴を掘らない法面緑化工法を採用しても、根付きを良好にでき、急傾斜においても安定して樹木を育てることができる。
【図面の簡単な説明】
【図１】  この発明の一実施形態における保持枠体およびシート状体を示す構成説明図である。
【図２】  上記実施形態における植栽容器の使用状態を示す斜視図である。
【図３】  上記実施形態における植栽の状態を示す図である。
【図４】  上記実施形態における植栽容器を用いた法面緑化工法を説明するための図である。
【符号の説明】
１…保持枠体、２，３…横枠、４…下端枠、５，６…縦枠、９…樹木の苗、１０…シート状体、１１…下縁、１４…穴、Ｅ…植栽土、Ｎ…法面。
【図１】
0003851411.tif 000002
【図２】
0003851411.tif 000003
【図３】
0003851411.tif 000004
【図４】
0003851411.tif 000005